(57)【要約】【課題】    本発明は、ディスクカートリッジをディスク状記録媒体に記録を行うために機器装置に装着するまでの間にディスク状記録媒体に光が当たらない構造を有するディスクカートリッジを提供することを目的とするものである。【解決手段】  ディスク状記録媒体を回転自在に収納するケース本体と、ケース本体の内側に摺動可能に設けられたスライダー部を有し、ケース本体に形成された駆動軸挿入窓及びヘッドアクセス窓をケース本体の内側から開閉可能とした上下一対のプラスチック製シャッタを備えたディスクカートリッジにおいて、シャッタの自由端部を重ねるように金属製のシャッタ押え板を設け、ケース本体のシャッタと接する側にシャッタの閉状態でシャッタと対向する部分に傾斜部を設け、シャッタにも設けられた傾斜が、シャッタの閉状態でケース本体の傾斜部とシャッタが密接するように形成されていることを特徴とする。【選択図】      図１
2006318562.tif 000002
【特許請求の範囲】
【請求項１】
ディスク状記録媒体を回転自在に収納する上下一対のハーフシェルからなるケース本体と、前記ケース本体の前側端縁の内側に沿って摺動可能に設けられたスライダー部を有し、前記ケース本体に形成された駆動軸挿入窓及びヘッドアクセス窓を一方向に摺動することにより前記ケース本体の内側から開閉可能とした上下一対のプラスチック製シャッタを備えたディスクカートリッジにおいて、前記シャッタ閉状態においてディスクカートリッジ厚み方向に前記シャッタの自由端部を重ねるように金属製のシャッタ押え板を設け、前記ケース本体の前記シャッタと接する側に前記シャッタの閉状態において、前記シャッタと対向する部分に前記シャッタの閉方向側端縁と対向する位置より前記シャッタの開方向側端縁と対向する位置に向かって下降するように傾斜部を設けるとともに、前記シャッタが、閉方向側端部から開方向側端部に向かって厚みが厚くなるように傾斜が設けられ、前記シャッタの閉状態において前記ケース本体に設けられた前記傾斜部と前記シャッタが密接するように形成し、前記上ハーフシェル、下ハーフシェルの各々の内面にディスク状記録媒体の外周側を囲む略円弧状のリブを１本以上有し、該リブは高さが異なる段差部を有し、上ハーフシェルと下ハーフシェルを合わせた際に各々のリブの先端面で接することを特徴とするディスクカートリッジ。
【請求項２】
前記シャッタの前記ケース本体に対向する側に、前記シャッタの閉状態において前記ケース本体に形成された駆動軸挿入窓及びヘッドアクセス窓の外周に密接するように凸状リブを形成し、前記シャッタ押え板の前記シャッタと接する側に前記シャッタの自由端部と重なる部分にシャッタの開閉方向に平行に前記シャッタ閉状態における閉方向側の端部と対向する位置近傍から前記シャッタ開状態の開方向側の端部と閉方向側の端部の中位点と対向する位置近傍まで前記シャッタ側に向かって凸部を設け、該凸部が、前記ケース本体に形成された駆動軸挿入窓及びヘッドアクセス窓の前記シャッタ開方向側の端縁と対向する位置近傍から前記シャッタの開方向に向かって前記凸部の深さが浅くなるように傾斜を設けていることを特徴とする請求項１に記載のディスクカートリッジ。
【請求項３】
前記ケース本体に形成された駆動軸挿入窓及びヘッドアクセス窓の周縁に前記ケース本体と前記シャッタとの間にパッキンを設けることを特徴とする請求項１に記載のディスクカートリッジ。
【請求項４】
前記ケース本体に設けられた前記傾斜部もしくは前記シャッタの前記ケース本体と接する側の少なくともいずれか一方に、遮光部材を貼合し、前記シャッタの閉状態において前記遮光部材を介して前記ケース本体に設けられた前記傾斜部と前記シャッタが密接することを特徴とする請求項１に記載のディスクカートリッジ。
【発明の詳細な説明】
【技術分野】
【０００１】
本発明は、ディスク状記録媒体を回転自在に収納するディスクカートリッジに関し、さらに詳しくは、収納されたディスク状記録媒体に対する外部からの遮光性に優れたディスクカートリッジの構造に関するものである。
【背景技術】
【０００２】
高密度画像データなどの容量の大きな情報を書き込み可能な記録媒体として光記録媒体がある。そのような記録媒体としては、光磁気ディスクなどの記録媒体が既に実用化されているが、光記録媒体に対する大容量化への要求は高まる一方である。最近では数１００Ｇバイトの大容量化光ディスク技術も研究開発され記録素材にフォトポリマーなどの光感光層を備えた記録媒体が開発されている（例えば特許文献１参照）。このような記録媒体は記録素材に光を当てることで記録が行われるため、記録に不要な光を当てると記録素材が感光する可能性がある。
【０００３】
従来から、光ディスク、光磁気ディスク等の円盤形状をしたディスク状記録媒体を機器装置にローディングするために、ディスク状記録媒体を回転自在に収納するディスクカートリッジが使用されている。ディスクカートリッジには、片面のみ読み書き可能なタイプと両面読み書き可能なタイプがある。シャッタにも（１）ケース本体の両面の対向する位置に形成されたヘッドアクセス窓及び駆動軸挿入窓を略コの字状の一つのシャッタで閉じられた状態に維持するタイプと、（２）ケース本体の両面の対向する位置に形成されたヘッドアクセス窓及び駆動軸挿入窓をそれぞれ独立して一方向へスライド自在に取付けられた断面略Ｌ字状の二つのシャッタからなるタイプとがある。そして、ディスクカートリッジは、未使用時にゴミ等の異物がヘッドアクセス窓及び駆動軸挿入窓から侵入するのを防止する意味のために、ヘッドアクセス窓及び駆動軸挿入窓がシャッタで閉じられた状態を維持するように構成されている（例えば特許文献２参照）。また、シャッタは、通常、ケース本体の表面上を摺動するように設けられているが、ケース本体の内側にシャッタ部材が設けられ、ケース本体の前側端縁に平行に直線的に移動可能にした例も紹介されている（例えば特許文献３参照）。
【０００４】
しかしながら、特許文献２で示されているディスクカートリッジでは異物侵入防止はできても、シャッタと上下ハーフシェルからなるケース本体との係合部は平面で重なり部が設けられているだけで、その重なり部から光が侵入し記録素材にあたるという欠点がある。また、上下ハーフシェルの係合部からも光が侵入し記録素材にあたり、遮光性を考慮した構造にはなっていない。また、特許文献３に紹介されている例も防塵効果を有するシャッタ開閉機構の提供であり、シャッタ部材をケース本体に内蔵した効果、目的と遮光性との関係は明らかにされていない。
【０００５】
【特許文献１】特開２００２−１２３９４９
【特許文献２】実開平３−１０６５７９
【特許文献３】特開昭５８−１６９３７９
【発明の開示】
【発明が解決しようとする課題】
【０００６】
そこで本発明は、上記問題に鑑みてなされたものであり、その目的とするところは、ディスクカートリッジをディスク状記録媒体に記録を行うために機器装置に装着するまでの間にディスク状記録媒体に光が当たらない構造を有するディスクカートリッジを提供することにある。
【課題を解決するための手段】
【０００７】
本発明は、上記の目的を達成するため、請求項１記載の発明は、ディスク状記録媒体を回転自在に収納する上下一対のハーフシェルからなるケース本体と、前記ケース本体の前側端縁の内側に沿って摺動可能に設けられたスライダー部を有し、前記ケース本体に形成された駆動軸挿入窓及びヘッドアクセス窓を一方向に摺動することにより前記ケース本体の内側から開閉可能とした上下一対のプラスチック製シャッタを備えたディスクカートリッジにおいて、前記シャッタ閉状態においてディスクカートリッジ厚み方向に前記シャッタの自由端部を重ねるように金属製のシャッタ押え板を設け、前記ケース本体の前記シャッタと接する側に前記シャッタの閉状態において、前記シャッタと対向する部分に前記シャッタの閉方向側端縁と対向する位置より前記シャッタの開方向側端縁と対向する位置に向かって下降するように傾斜部を設けるとともに、前記シャッタが、閉方向側端部から開方向側端部に向かって厚みが厚くなるように傾斜が設けられ、前記シャッタの閉状態において前記ケース本体に設けられた前記傾斜部と前記シャッタが密接するように形成し、前記上ハーフシェル、下ハーフシェルの各々の内面にディスク状記録媒体の外周側を囲む略円弧状のリブを１本以上有し、該リブは高さが異なる段差部を有し、上ハーフシェルと下ハーフシェルを合わせた際に各々のリブの先端面で接することを特徴とするものである。
【０００８】
また、請求項２記載の発明は、請求項１に記載のディスクカートリッジにおいて、前記シャッタの前記ケース本体に対向する側に、前記シャッタの閉状態において前記ケース本体に形成された駆動軸挿入窓及びヘッドアクセス窓の外周に密接するように凸状リブを形成し、前記シャッタ押え板の前記シャッタと接する側に前記シャッタの自由端部と重なる部分にシャッタの開閉方向に平行に前記シャッタ閉状態における閉方向側の端部と対向する位置近傍から前記シャッタ開状態の開方向側の端部と閉方向側の端部の中位点と対向する位置近傍まで前記シャッタ側に向かって凸部を設け、該凸部が、前記ケース本体に形成された駆動軸挿入窓及びヘッドアクセス窓の前記シャッタ開方向側の端縁と対向する位置近傍から前記シャッタの開方向に向かって前記凸部の深さが浅くなるように傾斜を設けていることを特徴とするものである。
【０００９】
また、請求項３記載の発明は、請求項１記載のディスクカートリッジにおいて、前記ケース本体に形成された駆動軸挿入窓及びヘッドアクセス窓の周縁に前記ケース本体と前記シャッタとの間にパッキンを設けることを特徴とするものである。
【００１０】
また、請求項４記載の発明は、請求項１記載のディスクカートリッジにおいて、前記ケース本体に設けられた前記傾斜部もしくは前記シャッタの前記ケース本体と接する側の少なくともいずれか一方に、遮光部材を貼合し、前記シャッタの閉状態において前記遮光部材を介して前記ケース本体に設けられた前記傾斜部と前記シャッタが密接することを特徴とするものである。
【発明の効果】
【００１１】
従来のディスクカートリッジではディスクカートリッジの外部から記録に不要な光が侵入する主要な部位としてディスクカートリッジを構成する各部品の係合部が挙げられる。
【００１２】
本発明のディスクカートリッジは、請求項１に記載のようにケース本体のシャッタと接する側にシャッタの閉状態において、シャッタと対向する部分にシャッタの閉方向側端縁と対向する位置よりシャッタの開方向側端縁と対向する位置に向かって下降するように傾斜部を設けるとともに、シャッタが、閉方向側端部から開方向側端部に向かって厚みが厚くなるように傾斜が設けられ、シャッタの閉状態においてケース本体に設けられた傾斜部とシャッタが密接するように形成され、外部光を遮光できる効果を奏するものである。また、ディスクカートリッジ厚み方向にシャッタの自由端部を重ねるように金属製のシャッタ押え板を設けることによりシャッタがディスク状記録媒体に接触または接近することを防止できる効果がある。
【００１３】
また、上ハーフシェル、下ハーフシェルの各々の内面にディスク状記録媒体の外周側を囲む略円弧状のリブを１本以上有し、該リブは高さが異なる段差部を有し、上ハーフシェルと下ハーフシェルを合わせた際に各々のリブの先端面で接することにより迷路ができ、上ハーフシェルと下ハーフシェルとを合わせて一体化するときの上下ハーフシェル内面の係合部から侵入する外部光を遮光できる効果がある。
【００１４】
また、以下に遮光の度合いに応じて、請求項２に記載のように、シャッタのケース本体に対向する側に、シャッタの閉状態においてケース本体に形成された駆動軸挿入窓及びヘッドアクセス窓の外周に密接するように凸状リブを形成し、シャッタ押え板のシャッタと接する側にシャッタの自由端部と重なる部分にシャッタの開閉方向に平行にシャッタ閉状態における閉方向側の端部と対向する位置近傍からシャッタ開状態の開方向側の端部と閉方向側の端部の中位点と対向する位置近傍までシャッタ側に向かって凸部を設け、凸部が、前記ケース本体に形成された駆動軸挿入窓及びヘッドアクセス窓の前記シャッタ開方向側の端縁と対向する位置近傍から前記シャッタの開方向に向かって前記凸部の深さが浅くなるように傾斜を設けることにより、シャッタ閉状態ではシャッタがケース本体に押圧され、シャッタに設けられた凸部がケース本体に一層、密接され、ケース本体に形成された駆動軸挿入窓及びヘッドアクセス窓から侵入する外部光を遮光できる効果がある。また、シャッタ押え板に設けた前記凸部の傾斜により、シャッタ開動作が開始されると同時にシャッタへの押圧が緩和されて容易にシャッタが開けられるという効果がある。
【００１５】
また、請求項３に記載のように、ケース本体に形成された駆動軸挿入窓及びヘッドアクセス窓の周縁にパッキンを設け、シャッタの閉状態においてパッキンとシャッタが密接することにより外部光を遮光できる効果を奏するものである。
【００１６】
また、請求項４に記載のように、ケース本体に設けられた傾斜部もしくはシャッタのケース本体と接する側の少なくともいずれか一方に、遮光部材を貼合し、シャッタの閉状態において遮光部材を介してケース本体に設けられた前記傾斜部とシャッタが密接することにより外部光をより一層、遮光できる効果を奏するものである。
【００１７】
また、ケース本体の内側から開閉可能なシャッタを設けることにより、ケース本体の外側に金属製のシャッタ押え板が不要となり、シャッタとシャッタ押え板との干渉部分がなくなり、シャッタ閉止不良が防止できる効果がある。
【００１８】
本発明のディスクカートリッジは、上下ハーフシェル及びシャッタに遮光性素材を用いる或いは、遮光性材料を添加した樹脂を成型することによりケース本体自体及びシャッタ自体からの光侵入を防止できる。
【発明を実施するための最良の形態】
【００１９】
以下に本発明について、図面等を用いて詳述する。本発明のディスクカートリッジは直進する光を遮る構造にしていることが特徴であり、図１は本発明のディスクカートリッジの一実施形態の斜視図であり、図２は本発明のディスクカートリッジの一実施形態の上ハーフシェル側からのシャッタ閉状態を示す正面図である。図３は本発明のディスクカートリッジのシャッタ閉状態を示す背面図である。図４〜図７は本発明の構造の要部を示す断面図であり、図４は図２のＡ−Ａ線における断面図である。図５は図２のＢ−Ｂ線における断面図である。図６は図２のＣ−Ｃ線における断面図である。図７は図２のＤ−Ｄ線における断面図である。図８は本発明のディスクカートリッジの下ハーフシェルの内面を示す平面図である。図９〜図１１は他の実施形態の要部を示す断面図であり、図９は、第二の実施形態を示す図２のＡ−Ａ線に相当する断面図である。図１０は、第三の実施形態を示す図２のＡ−Ａ線に相当する断面図である。図１１は、第四の実施形態を示す図２のＡ−Ａ線に相当する断面図である。
【００２０】
図１〜図３を用いて本発明の第一の実施形態を説明する。
（第一の実施形態）
図１〜図３において符号１はディスクカートリッジである。該ディスクカートリッジ１は上ハーフシェル１０と下ハーフシェル２０からなるケース本体２と、該ケース本体２の前側端縁３に沿って摺動可能に設けられたスライダー部（図示せず）を有し、ケース本体２に形成された上ハーフシェル１０に設けられた駆動軸挿入窓１１及び下ハーフシェル２０に設けられた駆動軸挿入窓及びヘッドアクセス窓２１を一方向に開閉可能なシャッタ３０からなっている。
【００２１】
次に、図４を用いて、ケース本体２に設けられた駆動軸挿入窓及びヘッドアクセス窓における遮光について説明する。図４に示すように、ケース本体２の内側でシャッタ３０と接する側にシャッタ３０の閉状態において、シャッタ３０と対向する部分に、シャッタ３０の閉方向側端縁と対向する位置１３、２３よりシャッタの開方向側端縁と対向する位置１４、２４に向かって下降するように傾斜部１５、２５を設け、シャッタ３０は、閉方向側端部３１から開方向側端部３２に向かって厚みが厚くなるように傾斜が設けられ、シャッタの閉状態において、ケース本体２に設けられた傾斜部１５、２５と前記シャッタ３０に設けられた傾斜が密接して、駆動軸挿入窓１１及び駆動軸挿入窓及びヘッドアクセス窓２１を密閉でき、外部光が遮光できるものである。シャッタ３０には、カーボンブラックで黒着色したアクリロニトリル・スチレン・ブタジエン共重合樹脂（ＡＢＳ）、ポリアセタール樹脂（ＰＯＭ）等を用いることができる。
【００２２】
次に図５、図６を用いて、シャッタ３０の構造を説明する。図５に示すように、ケース本体２の内側に前側端縁３に平行して設けられた案内レール１６、２６にシャッタ３０と一体化して形成されたスライダー部３３を嵌合させてシャッタ３０が設けられ、ケース本体２の前側端縁３の内側に沿って摺動することにより、一方向にケース本体２に形成された駆動軸挿入窓１１（図６参照）及び駆動軸挿入窓及びヘッドアクセス窓２１をケース本体２の内側から開閉可能な構造としている。一方、図６に示すようにシャッタ３０の自由端部３４は、ディスクカートリッジ厚み方向に自由端部３４を重ねるように金属製のシャッタ押え板４０が設けられ、さらに、シャッタ押え板４０との重なり部分の厚みは、シャッタ押え板４０と接触抵抗が生じないように薄く形成されている。このような構造とすることにより、ケース本体の外側に金属製のシャッタ押え板が不要となり、シャッタとシャッタ押え板との干渉部分がなくなり、シャッタ閉止不良が防止できる効果がある。
【００２３】
次に図７、図８を用いて、上ハーフシェル１０の内面に設けた段差を有するリブ１２及び下ハーフシェル２０の内面に設けた段差を有するリブ２２による遮光を説明する。図８に示すように下ハーフシェル２０の内面には、ディスク状記録媒体の外周側を囲むように略円弧状の段差を有するリブ２２を設けている。一方、図７に示すように上ハーフシェル１０の内面には、下ハーフシェル２０に設けられた段差を有するリブ２２に対向する位置に段差を有するリブ１２を設けている。そして上ハーフシェル１０と下ハーフシェル２０を合わせて一体化する際に段差を有するリブ１２と段差を有するリブ２２のリブの先端面で接する構造としている。その構造とすることによって、上下ハーフシェル内面の係合部からの外部光の侵入を防止できるものである。
【００２４】
本発明のディスクカートリッジの上ハーフシェル１０及び下ハーフシェル２０には一般的な遮光性付与技法として、カーボンブラックで黒着色したポリカーボネート樹脂を使用しケース本体に遮光性を付与できる。また、シャッタ３０には、カーボンブラックで黒着色したアクリロニトリル・スチレン・ブタジエン共重合樹脂（ＡＢＳ）、ポリアセタール樹脂（ＰＯＭ）等を使用しシャッタに遮光性を付与できる。
【００２５】
次に他の実施形態として、第二〜第四の実施形態について説明する。本実施形態は、ケース本体２に設けられた駆動軸挿入窓及びヘッドアクセス窓における遮光方法が、前記の第一の実施形態と異なっている。その他は同じであるので、相違点について説明し、重複する部分は、説明を省略する。
（第二の実施形態）
次に、図９を用いて、本発明の第二の実施形態について説明する。図９に示すように、シャッタ３０のケース本体２に対向する側に、シャッタ３０の閉状態において、上ハーフシェル１０に形成された駆動軸挿入窓１１及び下ハーフシェル２０に形成された駆動軸挿入窓及びヘッドアクセス窓２１の外周に密接するように凸状リブ３５、３５が形成されており、ケース本体２に形成された駆動軸挿入窓及びヘッドアクセス窓が設けられた上下ハーフシェル１０、２０との係合部から侵入する外部光が遮光でき、ディスク状記録媒体４に外部光が当たることを防止できるものである。また、凸状リブ３５は、シャッタ３０の射出成型時に一体成型されるものである。
【００２６】
（第三の実施形態）
図１０を用いて、本発明の第三の実施形態について説明する。図１０は、図４に相当する断面図である。シャッタ３０のケース本体２と接する側に遮光部材５０、５０が各々接着剤等で貼合されている。このような構造にすることにより、シャッタの閉状態において、遮光部材５０、５０が、ケース本体２の内側に設けた傾斜部１５、２５に密接して、駆動軸挿入窓１１及び駆動軸挿入窓及びヘッドアクセス窓２１を密閉でき、外部光が遮光できる。シャッタ３０の閉状態において、シャッタの開方向側端縁と対向する位置１４、２４の面がシャッタ開状態においてシャッタ３０と対向する面より凸となる段差１７、２７が設けられている。段差１７、２７により、シャッタ閉状態において遮光部材５０とケース本体２との密接効果が得られ、一層、遮光効果が増すものである。遮光部材５０には、植毛布（テレンプ）等の遮光用の布、ポリエステルエラストマー等の樹脂が使用できる。また、遮光部材は、ケース本体２の駆動軸挿入窓１１、駆動軸挿入窓及びヘッドアクセス窓２１のシャッタと対向する面の周縁にも設けてもよい。
【００２７】
（第四の実施形態）
次に、図１１を用いて、本発明の第四の実施形態について説明する。図１１に示すように、上ハーフシェル１０に形成された駆動軸挿入窓１１及びした下ハーフシェル２０に形成された駆動軸挿入窓及びヘッドアクセス窓２１の周縁にパッキン６０、６０が嵌め込まれている。このような構造にすることにより、シャッタの閉状態において前記パッキン６０とシャッタ３０に形成された傾斜が密接して外部光が遮光できるものである。遮光性の要求度合いによりシャッタ３０の開方向側端縁にケース本体２に向かって凸部（図示せず）を設けてもよい。該凸部により一層、遮光性を高めることができる。また、パッキン６０は前記のようにケース本体２の駆動軸挿入窓及びヘッドアクセス窓に嵌め込み、接着剤によりケース本体２に接着するほうがより好ましい。また、パッキン６０は、ケース本体２の射出成型時にインサート成型して設けてもよい。パッキン６０には、ポリエステルエラストマー等の樹脂を用いることができる。第四の実施形態では、ケース本体２に傾斜部１５、２５を設けたが、パッキン６０は、シャッタ３０の閉状態におけるシャッタ３０の閉方向側と対向する端部からシャッタ３０の開方向側と対向する端部に向かってパッキンの厚みが薄くなるように傾斜を設けてもよく、この場合には、ケース本体２の傾斜部１５、２５は省略できる。
【図面の簡単な説明】
【００２８】
【図１】本発明のディスクカートリッジの一実施形態の斜視図である。
【図２】本発明のディスクカートリッジの上ハーフシェル側からのシャッタ閉状態を示す正面図である。
【図３】本発明のディスクカートリッジのシャッタ閉状態を示す背面図である。
【図４】図２のＡ−Ａ線における断面図である。
【図５】図２のＢ−Ｂ線における断面図である。
【図６】図２のＣ−Ｃ線における断面図である。
【図７】図２のＤ−Ｄ線における断面図である。
【図８】本発明のディスクカートリッジの下ハーフシェルの内面を示す平面図である。
【図９】第二の実施形態を示す図２のＣ−Ｃ線に相当する断面図である。
【図１０】第三の実施形態を示す図２のＣ−Ｃ線に相当する断面図である。
【図１１】第四の実施形態を示す図２のＣ−Ｃ線に相当する断面図である。
【符号の説明】
【００２９】
１                        ディスクカートリッジ
２                        ケース本体
３                        前側端縁
４                        ディスク状記録媒体
１０                      上ハーフシェル
１１                      駆動軸挿入窓
１２、２２                段差を有するリブ
１３、２３                シャッタの閉状態において、シャッタの閉方向側端縁と対向する位置
１４、２４                シャッタの閉状態において、シャッタの開方向側端縁と対向する位置
１５、２５                傾斜部
１６、２６                案内レール
１７、２７                段差
２０                      下ハーフシェル
２１                      駆動軸挿入窓及びヘッドアクセス窓
３０                      シャッタ
３１                      シャッタの閉方向側端部
３２                      シャッタの開方向側端部
３３                      スライダー部
３４                      自由端部
３５                      凸状リブ
４０                      シャッタ押え板
５０                      遮光部材
６０                      パッキン
【図１】
2006318562.tif 000003
【図２】
2006318562.tif 000004
【図３】
2006318562.tif 000005
【図４】
2006318562.tif 000006
【図５】
2006318562.tif 000007
【図６】
2006318562.tif 000008
【図７】
2006318562.tif 000009
【図８】
2006318562.tif 000010
【図９】
2006318562.tif 000011
【図１０】
2006318562.tif 000012
【図１１】
2006318562.tif 000013